(57)【要約】システムは、ＤＶＤのような、複数の記録担体の予め記録された領域に記録された同じコンテンツと関連するデータを記録する、第1の記録装置２２３を含む。第2の記録装置は、第1の記録装置のデータとコードを関連させるために用いられる。読取装置２３１は、予め記録された領域及び追記型領域を含む記録担体を受取る手段４３３と、提供用に前記予め記録された領域に記録されたコンテンツを読取る手段４３６と、追記型領域に記録されたコードを読取る手段４３５と、第1の記録装置に記録されたデータにアクセスする手段４３４とを含む。システムは、読取られたコードが第1の記録装置のデータと関連するコードに対応するか否かを確認し、明確な認証のみによって第1の記録装置に記録されたデータへ読取装置がアクセスする。
2008511942.tif 000002
【特許請求の範囲】
【請求項１】
記録担体に予め記録されたコンテンツを与え、関連するデータにアクセスするシステムであって、
複数の記録担体の予め記録された領域に記録された同じコンテンツと関連するデータを記録する第1の記録装置と、
少なくとも一つのコードを有する前記第1の記録装置に記録されたデータと関連する第2の記録装置と、
読取装置とを備え、
前記読取装置は、
予め記録された領域及び追記型領域を含む記録担体を受取る手段と、
提供用に前記受取られた記録担体の前記予め記録された領域に記録されたコンテンツを読取る手段と、
前記受取られた記録担体の前記追記型領域に記録されたコードを読取る手段と、
前記第1の記録装置に記録されたデータとアクセスする手段とを含み、
前記第2の記録装置に記録された情報に基づいて、前記読取られたコードが前記第1の記録装置のデータと関連するコードに対応するか否かを確認し、明確な認証のみによって前記第1の記録装置に記録されたデータに前記読取装置のアクセスを許可するように作用するシステム。
【請求項２】
請求項１に記載のシステムであって、
前記第1の記録装置が広域ネットワークによってアクセス可能な記録装置を配置されているシステム。
【請求項３】
請求項２に記載のシステムであって、
前記コードが前記記録装置及び／又は前記記録装置の前記データの前記ネットワークにおける位置の識別を含むシステム。
【請求項４】
請求項２に記載のシステムであって、
前記記録装置及び／又は前記記録装置の前記データの前記ネットワークの位置の識別を受取るインターフェースを含むシステム。
【請求項５】
請求項３又は４に記載のシステムであって、
前記ネットワークの位置の前記識別が、ユニフォームリソースロケータ（ＵＲＬ）及び／又はＩＰアドレスを含むシステム。
【請求項６】
請求項１に記載のシステムであって、
前記コードは前記記録担体のそれぞれの供給元に対して異なり、同じ予め記録されたコンテンツを有する記録担体に対して同一であり、同じ供給元により供給されるシステム。
【請求項７】
請求項１に記載のシステムであって、
前記コードが前記記録担体の固有の識別を含むシステム。
【請求項８】
請求項１に記載のシステムであって、
前記記録担体の前記予め記録された領域は、前記読取られたコードが前記第1の記録装置のデータと関連するコードに対応するか否かの前記認証を実行する前記読取装置によって実行可能なアプリケーションプログラムを含むシステム。
【請求項９】
請求項２に記載のシステムであって、
ユーザの識別を受取るインターフェースを含み、前記記録装置がユーザの識別に関連したユーザデータを記録するデータベースを含み、前記認証が明確であるときのみに前記受取られたユーザ識別と関連する前記データベースのユーザデータに読取装置のアクセスを許可するように作用するシステム。
【請求項１０】
請求項１に記載のシステムであって、
前記読取装置は、ユーザがパレンタルコントロールレベルを設定できるユーザインターフェースと、
前記記録されたデータに関連して、少なくとも一つの受入れられたパレンタルコントロールレベルの指示を記録するように構成される前記第1の記録装置と、
前記システムとを含み、前記ユーザによって設定された前記パレンタルコントロールレベルが前記記録装置の前記データと関連する前記指示により受入れられたパレンタルコントロールレベルであるか否かを確認し、前記パレンタルコントロールレベルの明確な認証のみによって前記第1の記録装置に記録されたデータに前記読取装置がアクセスするように作用するシステム。
【請求項１１】
請求項１に記載のシステムであって、
前記記録担体が光学記録装置の種類であり、前記追記型領域がバーストカッティングエリアであるシステム。
【請求項１２】
請求項１に記載の前記システムに用いる読取装置であって、
第1の記録装置が記録担体の予め記録された領域に記録されたコンテンツと関連するデータを記録し、第2の記録装置が少なくとも一つのコードを有する前記第1の記録装置に記録されたデータと関連する情報を記録し、
前記読取装置は、
記録担体を受取る手段と、
提供用に前記受取られた記録担体の予め記録された領域に記録されたコンテンツを読取る手段と、
前記受取られた記録担体の追記型領域に記録されたコードを読取る手段と、
前記第2の記録装置に記録された情報を取得し、前記取得した情報に基づいて、前記読取られたコードが前記第1の記録装置のデータと関連するコードに対応するか否かを確認する手段とを含み、
明確な認証によって、前記第1の記録装置に記録されたデータにアクセスする読取装置。
【請求項１３】
請求項１に記載の前記システムに用いる読取装置であって、
前記システムの記録装置は記録担体の予め記録された領域に記録されたコンテンツと関連するデータを記録し、前記記録装置が広域ネットワークでアクセス可能であり、前記ネットワークによって供給されたコードが前記記録装置のデータと関連する少なくとも一つのコードに対応するか否かを確認するように作用し、明確な認証によって、前記記録装置に記録されたデータへの前記コードアクセスを供給した装置を許可し、前記読取装置は、
記録担体を受取る手段と、
提供用に前記受取られた記録担体の予め記録された領域に記録されたコンテンツを読取る手段と、
前記受取られた記録担体の追記型領域に記録されたコードを読取る手段と、
前記ネットワークにより、前記記録装置に前記読取られたコードを供給し、前記記録装置のデータにアクセスし、アクセスを許可し、前記データにアクセスする手段とを含む読取装置。
【請求項１４】
記録担体に予め記録されたコンテンツを与え、前記予め記録されたコンテンツと関連する、第1の記録装置のデータにアクセスする方法であって、
提供用に記録担体の予め記録された領域に記録されたコンテンツ読取るステップと、
前記記録担体の追記型領域に記録されたコードを読取るステップと、
前記読取られたコードが前記第1の記録装置に関連するコードに対応するか否かを確認し、明確な認証のみによって前記第1の記録装置に記録されたデータにアクセスするステップとを含む方法。
【請求項１５】
請求項１４に記載の方法をプロセッサに実行させるコンピュータプログラム。
【発明の詳細な説明】
【技術分野】
【０００１】
本発明は、記録担体に予め記録されたコンテンツを与え及び関連データにアクセスするためのシステムに関するものである。更に、本発明は、このシステムために用いる読取装置に関するものである。また、本発明は、記録担体に予め記録されたコンテンツ及び利用できる関連データとを作成する方法に関するものである。
【背景技術】
【０００２】
家庭用電化製品の新たな形式は、絶えず開発されている。コンピュータテクノロジ及び家庭用娯楽システムの集中に多くの努力はそそがれた。例えば、ローカルに利用できるコンテンツに加えて、利用できるインターネットから検索されたコンテンツを作成することによるインタラクティブアプリケーション及び拡張機能が、重要な分野である。ｅＤＶＤは、Ｄｉｇｉｔａｌ  Ｖｅｒｓａｔｉｌｅ  Ｄｉｓｃ又はＤｉｇｉｔａｌ  Ｖｉｄｅｏ  Ｄｉｓｃ（ＤＶＤ）ディスクがウェブサイトのウェブコンテンツとリンクするような技術である。このウェブコンテンツはＤＶＤディスクのコンテンツと直接関連する。ＤＶＤのコンテンツは、ビデオ及びオーディオコンテンツを含むことができる。ｅＤＶＤは、インターネット技術（例えばインタラクティブ、動的なアップデート等）によって提供される利点とともに、ＤＶＤによって提供された高品質のビデオ及びオーディオデータへの高速にアクセスする。例えば、ローカルＤＶＤがＨＴＭＬウェブページによって、ｅＤＶＤは拡張することができる。国際公開００／６３９１５号公報では、ＤＶＤ提供装置にＷＷＷウェブブラウザを統合するようなｅＤＶＤシステムを開示する。ブラウザによってアクセス可能なサイトの情報に対応するユニフォームリソースロケータ〔Ｕｎｉｆｏｒｍ  Ｒｅｓｏｕｒｃｅ  Ｌｏｃａｔｏｒ〕（ＵＲＬ）情報は、ＤＶＤデータ内の領域に記録される。このような対応するＵＲＬリンクがあるＤＶＤエレメントをユーザが起動させるとき、そのサイトから指摘されている情報をウェブブラウザは示す。ＨＴＭＬメニュ又は他のブラウザを実行させる機能を、ユーザが起動させるとき、このメニュで指定したＤＶＤデータの一部にＤＶＤシステムはアクセスする。この構成は双方向通信を提供する。すなわち、ブラウザのＨＴＭＬがＤＶＤコンテンツをコントロールすることができ、ＤＶＤコンテンツがブラウザのＨＴＭＬをコントロールすることができる。ウェブ情報とＤＶＤコンテンツがリンクすることは、ＤＶＤ情報を提供するウェブコンテンツと同期して示すことを可能にする。ＤＶＤプレーヤにあるブラウザは、通常のウェブブラウザに基づくことができる。ウェブコンテンツは、インターネットによってアクセス可能なサーバで記録される。
【０００３】
既知のシステムにおいて、オーディオとビデオのような、通常のコンテンツを有するＤＶＤ及び付加コンテンツに対するＵＲＬは、通常の製造工程に予め記録されている。
【発明の開示】
【発明が解決しようとする課題】
【０００４】
本発明の目的は、より柔軟なシステム及び方法を提供することである。
【０００５】
本発明の目的を達成するために、記録担体に予め記録されたコンテンツを与え、関連するデータにアクセスするシステムであって、
複数の記録担体の予め記録された領域に記録された同じコンテンツと関連するデータを記録する第1の記録装置と、
少なくとも一つのコードを有する前記第1の記録装置に記録されたデータと関連する第2の記録装置と、
読取装置とを備え
前記読取装置は、
予め記録された領域及び追記型領域を含む記録担体を受取る手段と、提供用に前記受取られた記録担体の前記予め記録された領域に記録されたコンテンツを読取る手段と、前記受取られた記録担体の前記追記型領域に記録されたコードを読取る手段と、前記第1の記録装置に記録されたデータにアクセスする手段とを含み、
前記第2の記録装置に記録された情報に基づいて、前記読取られたコードが前記第1の記録装置のデータと関連するコードに対応するか否かを確認し、明確な認証のみにより前記第1の記録装置に記録されたデータを前記読取装置のアクセスを許可するように作用するシステムである。
【０００６】
本発明によれば、予め記録されたコンテンツに加えて、記録担体上の追記型領域は用いられる。追記型領域を用いることは、柔軟性を提供する。それは、追記型領域のバッチに特有のコンテンツ以外で、完全なバッチと同じ予め記録されたコンテンツによる比較的小さいバッチ（１枚のコピーさえも）の製造を可能にする。第1の記録装置（例えばウェブサーバ）のコンテンツ／データは、予め記録されたコンテンツに加えてアクセスすることができる。本発明において、アクセスが第1の記録装置のコンテンツ／データを与えるべきか否かの認証を可能にするコードを記録するために、追記型領域は用いられる。コード及び付加データ／コンテンツ間の認可されたリンクを記録するために、第2の記録装置は用いられる。第2の記録装置は、第1の記録装置と組み合わせることができる。コードの書込みを高速で実行できるように、コードは小さくすることができ、製造コストを低くする。記録担体上の２つの別の領域を用いることにより、違法な家庭用のコピーを妨げる。通常の家庭用の製品は、通常のコンテンツを書込むことを目的としており、記録担体の特定領域に書込む機能を通常有しない。どのように発生する場合でも、記録担体上に書込むコードに基づく認証プロセスと第2の記録装置の認証データは違法コピーを無効にすることができる。
【０００７】
従属する請求項２に規定されるシステムによれば、インターネットのような広域ネットワークに、第1の記録装置はアクセス可能である。従属する請求項３に記載の好ましい態様において、記録装置及び／又は記録装置のデータを、コードは識別する。これは、非常にユーザフレンドリなシステムを構成する。すなわち、ユーザは、位置を指定する必要がない。位置が予め記録された既知のシステムとは異なり、ディスクの供給元には、位置を変更する際のさらに多くの自由がある。例えば、供給元がレンタル会社である場合、タイトルあたりのウェブサイト、顧客の種類あたりのウェブサイト（例えば一定の付加コンテンツの資格の有無にかかわらず）等を選択することができる。また、不法にコピーされたコードを有する記録担体をレンタルせずに不正使用を察知する場合、レンタル会社は記録担体を容易に無効にすることができる。
【０００８】
従属する請求項４に記載の他の態様において、システムは、このような識別を受取るインターフェースを含む。このようなインターフェースは、ユーザが識別を指定することを可能にするユーザインターフェースでもよい。その上にこのような識別を有するスマートカードを受取るインターフェースのような、他の適切なインターフェースでもよい。
【０００９】
従属する請求項５に規定されるような、識別は、好ましくはＵＲＬ又はＩＰアドレスで表す。
【００１０】
従属する請求項６に規定されるシステムによれば、コードは、記録担体の供給元に対して固有である。例えば、供給元は、記録担体を販売又はレンタルする会社でもよい。供給元に固有であるコードを有することによって、競合他社の顧客が利用できない付加サービスを供給元は顧客に提供することができる。当然のことながら、供給元が他の供給元によって用いられないいくつかのコードを用いることができる。例えば、供給元は、記録担体のタイトルごとに、コードを用いることができる。
【００１１】
従属する請求項７に規定されるシステムによれば、コードは、記録担体ごとに固有である。このような方法で、セキュリティは上昇（例えば、個々の記録担体は、付加データ／コンテンツのアクセスに関して無効とすることができる）及び／又は、ユーザ固有のサービス／データを利用することができる。
【００１２】
従属する請求項８に規定されるシステムによれば、認証を実行するプログラムは、記録担体の予め記録された領域にすでに含まれる。これは、認証を実行するソフトウェアを有する読取装置を備える、簡単で安価な方法である。さらに、認証プログラムは、記録担体のタイトルごとに変更することができる。
【００１３】
アプリケーションプログラムは、他よりのプラットフォームに依存しないため、Ｊａｖａ仮想マシンのような、仮想マシンで好適に書込まれる。
【００１４】
従属する請求項９に規定されるシステムによれば、データベースは、ユーザ固有のデータにアクセスすることができる。記録担体上のコードは、名前及び／又はパスワード及び／又はアカウント番号のようなユーザデータによって補う、基本的認証を提供する。
【００１５】
従属する請求項１０に規定されるシステムによれば、ユーザは、パレンタルコントロールレベル〔ｐａｒｅｎｔａｌ  ｃｏｎｔｒｏｌ  ｌｅｖｅｌ〕を設定することができる。これは、付加データ／コンテンツを記録されたレベルに対してチェックし、ユーザによって設定されたレベルからみて適切である付加コンテンツ／データのみが利用できることを保証できる。
【００１６】
従属する請求項１１に規定されるシステムによれば、記録担体は、ＤＶＤ又はブルーレイディスクのような光記録媒体である。高品質のオーディオ及び／又はビデオの配布に、このような記録担体は非常に適切である。ＤＶＤ−ＲＯＭ及びＢＤ−ＲＯＭにおいて、バーストカッティングエリア（ＢＣＡ）が、規定し／提案されている。コードを書込むための専門のマシンが利用でき、コードを読取ることができる消費者向けプレーヤが存在するため（しかし、通常の消費者向けレコーダは、コードを複製することができない）、本発明による付加コンテンツ／データに検証できるアクセスを、この領域に用いることは好適である。
【００１７】
発明の目的を達成するために、記録担体に予め記録されたコンテンツを与え、データが前記予め記録されたコンテンツと関連する、第1の記録装置のデータにアクセスする方法であって、
提供用に記録担体の予め記録された領域に記録されるコンテンツを読取るステップと、
前記記録担体の追記型領域に記録されたコードを読取るステップと、
読取られたコードが前記第1の記録装置に関連するコードに対応するか否かを確認し、明確な認証のみ前記第1の記録装置にアクセスするステップと
を含む方法。
【００１８】
本発明のこれらの及び他の態様は、ここに記載されている実施例を参照することで明らかとなる。
【発明を実施するための最良の形態】
【００１９】
図１は、コンテンツを記録するためのデータエリア２を含む記録担体１を示す図である。ＣＤ、ＤＶＤ及びブルーレイディスク（ＢＤ）のような光学的に、銀行業務カードのような磁気的に、フラッシュメモリのようなオンチップで、例えばゲームコンピュータカートリッジの他種類のようなＲＯＭに、コンテンツは記録することができる。不揮発性メモリの他の適切な形式も使用することができる。ビデオ、オーディオ、インタラクティブコンピュータプログラム、ゲーム又はこれらの組合せを、コンテンツは有することができる。必要に応じて、データエリア２の部分は、予め記録されるのではなく、ＣＤ−Ｒ又はメモリースティックなどに情報をユーザが記録することができるように構成する。費用効率の点で、好ましくは大容量の同一の記録担体が製造され、その場合には、全ての記録担体のデータエリア２は予め記録された種類であり、映画、ビデオゲーム又は音楽アルバムのような同じコンテンツを有する。
【００２０】
データエリア２に加えて、本発明による記録担体１は追記型領域３を有する。別の書込処理で記録担体の大量生産前後、追記型領域３にデータは書込むことができる。追記型領域のデータは、各種の情報を表すことができる。例えば、データエリア２のコピー保護されたコンテンツを解読するために用いることができる固有の識別番号、又は記録担体１の製造に関して将来情報の検索を可能にするシリアルナンバを、記録担体１の各々のコピーは有することができる。本発明による記録担体上に、付加コンテンツ／データに認証可能な／認可されたアクセスのためのコードを、追記型領域３は提供する。例えば、光学的に、磁気的に又はオンチップで、多くの適切な方法に、コードは適用することができる。例えば、一連の数字若しくは他の文字として又はバーコードとして、コードは認識することができる。
【００２１】
また、いくつかの特定のデータを記録するか、視覚化情報を有するか又は記録担体１の物理的な構成を形成するような、付加機能用の一以上の付加領域４を、記録担体は有することができる。これらの領域は、本発明の一部でなく、ここでは更に記載しない。
【００２２】
図２は、本発明による記録担体１の実施例を示す図である。この実施例において、記録担体１はＤＶＤであるが、ＣＤ（コンパクトディスク）又はＢＤ（ブルーレイディスク）のような、他の光記録媒体により同様の態様で実行できる。シリアルナンバのような付加情報が書込むことができるバーストカッティングエリア〔Ｂｕｒｓｔ  Ｃｕｔｔｉｎｇ  Ａｒｅａ〕（ＢＣＡ）を、ＤＶＤは任意に有する。ＢＣＡは、本発明によるコードを保持するための追記型領域３として機能することに十分に適している。ＤＶＤ１は、オーディオ及び／又はビデオデータのようなデジタルコンテンツを記録するための光記録媒体である。また、ユーザインタラクティブ性を可能にするためのコンピュータプログラムを、ＤＶＤ１は有することができる。このようなプログラムは、仮想マシン（例えばＪａｖａ仮想マシン）の実行用に、好適に書込まれる。このようなコンピュータプログラムは、オーディオ及びビデオの任意の再生シーケンスをユーザが簡単に選ぶことができるか、又は十分なインタラクティブコンピュータゲームでさえなりうる。ＤＶＤ１のデータエリア２に、データは記録される。
【００２３】
ＢＣＡ３は、データエリア２の内側に配置することができる。例えば、ＤＶＤ１の中心の近くで、データエリア２内部の環状区域にＢＣＡ３は配置することができ、バーコード５は付加情報を書込むことができる。あるいは、データエリア２の外側又は２つの別のデータ領域の間に、ＢＣＡ３は配置することができる。バーコード５は、マスタリングの間に書込まれ、そのマスタからの全てのディスクで共通であり、マスタリング後ＤＶＤ１のアルミニウム反射層に書込むことができる。プリントのような、ディスクにバーコードを書込む他の技術が用いることができる。マスタリング処理の間、ディスクにバーコード５がまだ適用されない場合、光ディスクは固有のバーコード５を与えることができる。標準ＤＶＤ１のＢＣＡ３に記録されたデータは、各々１６バイトからなる４つのデータユニットである。しかし、他の光学媒体の他のデータ量を、ＢＣＡ３は含むことができる。
【００２４】
本発明によれば、複数の記録担体の予め記録された領域２に記録されたコンテンツと関連する付加データは、第1の記録装置に記録される。これらの記録担体の全ては、第1の記録装置の付加データが関連する同一データの少なくともいくつかを記録する。インターネットのような広域ネットワークによりアクセス可能なサーバ装置に、第1の記録装置は好適に設けられる。図３は、このようなサーバ装置２２３を示す図である。また、当然のことながら、記録装置、すなわち記録デバイスの他の形式を、本発明は用いることができる。例えば、他の予め記録された記録担体に、付加データ／付加コンテンツを供給することができる。第1の記録装置がインターネットによってアクセス可能なサーバに配置されたシステムに、残りは集中する。本発明によれば、このシステムは、少なくとも一つのコードを有する第1の記録装置に記録されたデータと関連する第2の記録装置を含む。第2の記録装置は第1の記録装置と連結する。いずれのケースにおいても、第1の記録装置とコードとのデータ間の関連を定めることは、非常に容易である。更に、システムは読取装置２３１を含む。図４は、読取装置の実施例の更なる構成を示す図である。上記の通り、読取装置２３１は記録担体１を受取る手段４３３を含む。当然のことながら、このような受取手段は、用いられたメディアの種類に特有である。例えば、トレイを有する光学ドライブは、典型的な光記録媒体に用いられる。他の適切な受取手段は、他の媒体で用いるべきである。提供用に受取られた記録担体の予め記録された領域に記録されたコンテンツを読取る手段４３６を、読取装置２３１も有する。また、このような手段はよく知られており、ここで更に記載しない。さらにまた、受取られた記録担体１の追記型領域に記録されたコードを読取る手段４３５を、読取装置２３１は有する。このようなコードを読取る適切な手段は、当業者の技術範囲内であり、光記録媒体についてすでに明らかにされている。また、本発明によれば、第1の記録装置に記録されたデータにアクセスする手段４３４を、読取装置は含む。また、正確な構成は、第1の記録装置の種類及び第1の記録装置の位置により定まる。例えば、第1の記録装置がウェブサーバに配置する場合、インターネットにアクセスする適切なハードウェア及び／又はソフトウェアを、読取装置２３１は含む。インターネット、又はゲートウェイ／ルーター若しくはパソコンのような一つ以上の中間装置により、読取装置２３１は直接アクセスすることができる。このような技術は、よく知られている。
【００２５】
本発明によれば、システムは、第1の記録装置でデータと関連するコードに対応する読取装置によってコードが読取られるか否かを、確認するように作用する。認証プロセスは、第2の記録装置に記録された情報を用いる。この情報は、第1の記録装置のデータと一以上のコードとをリンクする（例えば、テーブル又は他の適切なリンクメカニズムを用いる）。認証は、システムで適切な装置で行うことができる。実施例において、この認証は、第2の記録装置を有する装置で実行される。また、例えば、第2の記録装置が第1の記録装置を含む、同じ記録装置２２３を配置する場合（例えば同じウェブサーバにおいて）、認証はウェブサーバに実行することができる。この場合、第2の記録装置に記録されたコードと比較することによってコードを確認する記録装置２２３に読取られたコードを、読取装置２３１は供給する。記録装置２２３への通信手段４３４に用いられた同じハードウェア／ソフトウェアを、読取装置は用いることができる。他の態様では、手段４３７を用いて読取装置２３１で、認証は少なくとも部分的に実行される。この場合、テストをすることが可能な第2の記録装置から、読取装置２３１はデータを読取る。いかなる適切な方法、例えばネットワーク（例えば、手段４３４を用いる）で、このようなデータを読取ることができる。第1の記録装置のデータと関連するコードに読取られたコードが対応するか否かの認証を実行する読取装置２３１によって、実行可能なアプリケーションプログラムを、記録担体１の予め記録された領域２は好適に含む。このようなプログラムは、Ｊａｖａ（登録商標）又は他の適切な言語で書込むことができる。本発明によれば、システムは、明確な認証のみを第1の記録装置に記録されたデータと読取装置がアクセスすることを許可する。本発明による物理的にリムーバブル記録担体へ記録されたコードは、認証の形式として実行する。
【００２６】
コード自体は、いかなる適切なフォーマットも有することができ、各種の情報を示すことができる。コードは、小売会社又はレンタル会社のような記録担体の供給元と、好適に関連する。一つ以上の又は以下の識別を、コードは好適に含む。
１．記録装置及び／又は記録装置のデータのネットワークにおける位置の識別。これを行う好適な方法は、ユニフォームリソースロケータ（ＵＲＬ）及び／又はＩＰアドレスを示すことである。
２．記録担体のそれぞれの供給元で異なる供給元コード。このようなコードは、同じ予め記録されたコンテンツを有する記録担体で同一であり、同じ供給元より供給される。供給元は、異なるコンテンツ（タイトル）を有する記録担体と異なるコードを用いることをできるが、用いなくてもよい。
３．記録担体の固有の識別。このオプションは、オプション２の特例である点に留意すべきであり、異なるコードは同じコンテンツを有する担体でさえ生じる。このような場合、識別の特定の連続的範囲は各々の供給元に好適に割り当てられ、記録担体がその供給元によって供給されたか否かの認証を容易にする。
ネットワークに基づく記録装置では、ネットワーク位置の識別がコードにない場合、このような位置は他のいかなる適切な方法でも特定することができる。例えば、ユーザが位置を特定することが可能なユーザインターフェースを読取装置が有するか、又は、スマートカードのような記録装置からそれを読取る。
【００２７】
ネットワークの記録装置の位置をコードが単に示すだけの場合、読取装置がサーバに配置できるという単なる事実は、十分な認証が一般にない。第2の記録装置はネットワーク位置（例えばＵＲＬ）を記録する。第2の記録装置に記録されたこの位置に対して読取られたコードを比較することによって、明確的なテストは行われる。ネットワークの位置を単に特定することによって、真正の記録担体でない装置がデータにアクセスすることを妨げる。
【００２８】
本発明の実施例において、特定の映画、ビデオゲーム又は音楽アルバムのような一定のコンテンツを有する多くの記録担体１を、供給元は注文し、供給元と関連するコードを有する記録担体１の各々の記録担体特有の領域３を与える。また、記録担体１を小売業者又はレンタルチェーンに届ける前に、このようなコードを追記型領域３に製造者は書込むことができる。特定の小売業者又はレンタルチェーンに由来する記録担体１の認証を、コードは可能にする。記録担体１のデータコンテンツを再生する場合、特定のウェブサイトとリンクするか、特定の広告を示すか、又は一定の小売業者又はレンタルチェーンの顧客が利用できるだけのデータの再生を可能にするかに、コードは用いることができる。他への応用は、同じ原理から利益を得ることができる。
【００２９】
図３は、本発明によるシステムを図式的に示す図である。システムは、記録担体（この例では、光ディスク）の製造業者２１０と、光ディスク１をレンタル及び／又は販売するレンタルチェーン又は小売業者２２０と、顧客２３０とを有する。記録担体プレーヤ２３１（この例では、光ディスクプレーヤ）に用いるための光ディスク１を、顧客２３０はレンタルする。製造業者２１０は、光ディスク１を製造する少なくとも２つのマシンを用いるが、これら２つのマシンは１つの多目的マシンに集積化することができる。予め記録された領域２に記録されたオーディオ及び／又はビデオデータ及び／又はコンピュータプログラムを提供する光ディスク１を、第１のマシン２１１は製造する。第２のＢＣＡ書込マシン２１２は、ＢＣＡ３にバーコード５を書込む。光ディスク１の中央にアルミニウム又は他の反射する金属層を燃き尽けて黒化する非常に強力なレーザ（ＹＡＧ又はＣＯ２）によって、ＢＣＡ３は通常書込む。これらのマークは、減少した反射率を有する。例えば、一定の角速度（１４４０ｒｐｍ）で回転し、光ピックアップをＢＣＡ３に動かし、情報表面に焦点を合わせ、デコーディング回路を用いることによって、光ディスクプレーヤ２３１はＢＣＡ３を読取る。本発明によるシステムにおいて、ディスク１が特定のレンタルチェーン又は小売業者２２０からのものであることを識別するディスク１にバーコード５を書込むために、ＢＣＡ３は用いられる。バーコード５は、レンタルチェーン又は小売業者２２０を識別する固有のコードである。例えば、バーコード５は、ユニフォームリソースロケータ（ＵＲＬ）又はＩＰアドレスであり、直接インターネット２４０のウェブサイトとリンクする。ＢＣＡ３は、製造業者２１０によって必ずしも書込まれる必要があるというわけではない。あるいは、ＢＣＡを書込むマシン２１２を、レンタルチェーン又は小売業者２２０が所有し、運営することができる。
【００３０】
レンタルチェーン又は小売業者２２０は、光ディスク１を満たす棚２２１を有する店（図示せず）を含む。顧客２３０は、店に入り、レンタル又は購入する光ディスク１を選ぶことができる。あるいは、例えば電話によって又はインターネットにより光ディスク１を、顧客２３０は注文することができる。顧客２３０が光ディスクプレーヤ２３１にディスク１を挿入すると、顧客はディスク１のビデオを視聴し、オーディオを聞き、ゲームをすることができる。本発明によるシステムにおいて、おそらくパソコン（ＰＣ）２３２により、光ディスクプレーヤ２３１はインターネット２４０と接続する。インターネット２４０の接続により、レンタルチェーン又は小売業者２２０のウェブサイトを、顧客２３０は訪問することができる。ウェブサイトをウェブサーバ２２３よってホストされ、ディスク１をレンタル又は購入する店を配置することができる。店の中でコンピュータ２２２の一部としてウェブサイト又はウェブサーバ２２３と接続を可能にするコンピュータ２２２を、店は好適に有する。あるいは、店の外で中央のウェブサーバ（図示せず）からウェブサイトをホストし、インターネット２４０により中央のウェブサーバと店の中のコンピュータ２２２は接続する。顧客関連情報を提供するために、レンタルチェーン又は小売業者２２０の顧客データベースにウェブサーバは連結することができる。ウェブサイトによって提供されたサービスは光ディスクプレーヤ２３１内にある光ディスク１のＢＣＡ３のバーコード５により定められ、レンタルチェーン又は小売業者２２０に由来するディスク１が光ディスクプレーヤ２３１内にあるとき、このような付加サービスは顧客２３０に提供されることができる。また、光ディスク１の予め記録された領域２に記録されたコンテンツに、付加サービスは依存することができる。
【００３１】
図５は、レンタルチェーン又は小売業者２２０のウェブサイトを訪問するプロセスを図式的に示す図である。第１のステップＩＮＴにおいて、インターネット２４０に接続することを顧客230は決定する。例えば、プレーヤ２３１のインターネットブラウザアプリケーションを起動させるために、リモートコントロール若しくはプレーヤ２３１のインターネットボタンを押すことによって、又はＰＣ２３２のインターネットブラウザアプリケーションを開始することによって、顧客２３０は実行する。例えば、ユーザによってロードされた記録担体上のコードがインターネットアドレスを含むことを検出した後に、システムは自動的にこの決定をするかは任意である。次の工程ＧＷＲにおいて、顧客２３０は、レンタルチェーン又は小売業者２２０のウェブサイトのインターネットアドレスを選び、例えばアドレスを入力するか又はリストからアドレスを選択することによってナビゲートされる。バーコード５がＵＲＬ又はＩＰアドレスを含む場合、インターネットブラウザアプリケーションはウェブサイトを自動的にナビゲートすることができる。また、バーコード５により、自動的に顧客をウェブサイトにリダイレクトする中央サーバに、ブラウザアプリケーションは自動的にナビゲートすることができる。ウェブサイトにナビゲートした後、ウェブサーバ２２３は、（例えば光ディスク）プレーヤ２３１又はＰＣ２３２にリクエストを送り、ＢＣＡ３のバーコード５をウェブサーバ２２３に次のステップＧＢＣＡで送信する。あるいは、ウェブサイトにナビゲートするとき、バーコード５はウェブサーバ２２３にすでに送信されている。次のステップＣＢＣＡにおいて、ウェブサーバ２２３によって、バーコード５はチェックされる。ウェブサーバ２２３がバーコード５を認識する場合、付加サービスは次のステップＳＥＲＶ＋で顧客２３０に提供される。このような付加サービスは、映画について背景情報、付加コンテンツ（例えば削除された場面、ＮＧ集等）、他の光ディスクをレンタル又は購入することによる特別価格、その他たくさんを提供することができる。ウェブサーバ２２３がバーコード５を認識しない場合、いくつかの標準的な、公に利用できるサービスのみがプロセスステップＳＥＲＶにおいて提供することができる。
【００３２】
好ましい態様において、ウェブサーバ２２３は、記録担体１のＢＣＡ３をチェックするだけでなく、顧客２３０と光ディスク１のデータコンテンツの同一性をチェックする。いくつかの技術が、顧客２３０を識別するのに適切である。顧客230は認証のためにユーザ名及びパスワードを提供し、ユーザ名及びパスワードがクッキーとしてプレーヤ２３１又はＰＣ２３２に記録される。プレーヤ２３１又はＰＣ２３２に接続したチップカードリーダにチップカードを挿入することができる。顧客２３０がレンタルチェーン又は小売業者２２０の会員アカウントである場合、付加的に会員に関連したサービスが提供することができる。このような会員に関連したサービスの例としては、顧客２３０が過去にレンタル又は購入した記録担体（例えば光ディスク）のリストを示したり、リスト上の記録担体よりレンタル又は購入する示唆を示したり、人気の記録担体又はまだリリースされていない記録担体の予約を提供したりであり、他にもたくさんある。ウェブサーバも記録担体１のデータコンテンツをチェックすることができ、このデータコンテンツに関連したサービスを提供することができる。記録担体１のタイトル又はシリアルナンバは、レンタルチェーン又は小売業者２２０を識別するコードをさらにＢＣＡ３にコード化させることができる。または、記録担体１のデータエリア２のデータに基づいて、記録担体１は認識することができる。データコンテンツに関連したサービスは、光ディスクのコンテンツについての情報とウェブサイトがリンクし、顧客２３０が光ディスクに関する意見がある場合にはディスカッションフォーラムを提供し、記録担体上の映画と同じディレクタによって監督された映画のリストを提供することができ、他にもたくさんある。
【００３３】
また、当然のことながら、本発明はコンピュータプログラム、特に担体上又は内の適切なコンピュータプログラムを提供し、本発明を実施するのに適切である。このプログラムはソースコード、オブジェクトコード、部分的にコンパイルされた形式のようなソースコード及びオブジェクトコードの中間にあるコード、又は本発明による方法を実施するのに適した他のいかなる形式でもよい。担体は、プログラムを収容できるいかなる構成要素又は装置でもよい。例えば、ＣＤＲＯＭ又は半導体ＲＯＭのようなＲＯＭ、フロッピー（登録商標）ディスク又はハードディスクのような磁気記録装置である記録媒体を、担体は含むことができる。さらにまた、担体は電気又は光信号のような伝達可能な担体でもよく、電気若しくは光ケーブルによって又はラジオ若しくは他の手段によって伝達することができる。プログラムがこのような信号で実施されるとき、担体はこのようなケーブル若しくは他の装置又は手段によって構成することができる。あるいは、担体はプログラムが埋め込まれた集積回路でもよく、集積回路が実行するか又は関連した方法で実行するために用いるのに適している。
【００３４】
上述の実施例は本発明を限定するものではなく、これを説明するためのものであり、当業者は特許請求の範囲により規定される本発明を逸脱することなく、多くの他の実施例を設計しうることに留意すべきである。
【図面の簡単な説明】
【００３５】
【図１】図１は、ディスク特有領域を有する記録担体を示す図である。
【図２】図２は、バーストカッティングエリアを有するＤＶＤディスクを示す図である。
【図３】図３は、本発明によるシステムの概略を示す図である。
【図４】図４は、本発明による読取装置の実施例を示す図である。
【図５】図５は、本発明によるシステムでウェブサイトを訪問するプロセスを図式的に示す図である。ここで、ウェブサイトのコンテンツはＢＣＡのバーコードに依存する。
【図１】
2008511942.tif 000003
【図２】
2008511942.tif 000004
【図３】
2008511942.tif 000005
【図４】
2008511942.tif 000006
【図５】
2008511942.tif 000007
【国際調査報告】
2008511942.tif 000008
2008511942.tif 000009
2008511942.tif 000010